(57)【要約】      （修正有）【課題】集電効率を向上するとともに、短絡の発生を抑制可能な太陽電池を備える太陽電池モジュール及びその太陽電池を提供する。【解決手段】太陽電池１０は、２本の受光面側接続用電極１４と複数本の裏面側細線電極１５と３本の裏面側接続用電極１６と絶縁層１７とを備える。受光面側接続用電極は、配線材の一端部を接続するための電極であり、配線材接続部１４ａとスルーホール電極接続部１４ｂを含む。スルーホール電極接続部は、スルーホール電極１３に接続される。【選択図】図３
2010050350.tif 000002
【特許請求の範囲】
【請求項１】
配線材によって電気的に接続された第１太陽電池と第２太陽電池とを備える太陽電池モジュールであって、
前記第１太陽電池は、
受光面と前記受光面の反対側に設けられる裏面とを有する光電変換部と、
前記受光面から前記裏面まで前記光電変換部を貫通するスルーホール電極と、
前記裏面上に形成され、前記スルーホール電極と電気的に接続される受光面側接続用電極と
を有し、
前記受光面側接続用電極は、前記配線材が接続される配線材接続部を含んでおり、
前記配線材接続部は、前記スルーホール電極に隣接する
ことを特徴とする太陽電池モジュール。
【請求項２】
前記第１太陽電池は、
前記受光面から前記裏面まで前記光電変換部を貫通する他のスルーホール電極と、
前記裏面上に形成され、前記他のスルーホール電極と電気的に接続される他の受光面側接続用電極と
をさらに有し、
前記受光面側接続用電極は、前記配線材が接続される他の配線材接続部を含んでおり、
前記他の配線材接続部と前記他のスルーホール電極との間隔は、前記配線材接続部と前記スルーホール電極との間隔に略等しい
ことを特徴とする請求項１に記載の太陽電池モジュール。
【請求項３】
配線材によって電気的に接続された第１太陽電池と第２太陽電池とを備える太陽電池モジュールであって、
前記第１太陽電池は、
受光面と前記受光面の反対側に設けられる裏面とを有する光電変換部と、
前記受光面から前記裏面まで前記光電変換部をそれぞれ貫通する複数のスルーホール電極を含むスルーホール電極群と、
前記裏面上に形成され、前記スルーホール電極群に含まれる少なくとも一のスルーホール電極と電気的に接続される受光面側接続用電極と
を有し、
前記受光面側接続用電極は、前記配線材が接続される配線材接続部を含んでおり、
前記配線材接続部は、前記一のスルーホール電極から離間する
ことを特徴とする太陽電池モジュール。
【請求項４】
配線材が電気的に接続される太陽電池であって、
受光面と前記受光面の反対側に設けられる裏面とを有する光電変換部と、
前記受光面から前記裏面まで前記光電変換部を貫通するスルーホール電極と、
前記裏面上に形成され、前記スルーホール電極と電気的に接続される受光面側接続用電極と
を有し、
前記受光面側接続用電極は、前記配線材が接続される配線材接続部を含んでおり、
前記配線材接続部は、前記スルーホール電極に隣接する
ことを特徴とする太陽電池。
【発明の詳細な説明】
【技術分野】
【０００１】
本発明は、スルーホール電極を有する太陽電池を備える太陽電池モジュール及びその太陽電池に関する。
【背景技術】
【０００２】
太陽電池は、クリーンで無尽蔵に供給される太陽光を直接電気に変換する。従って、太陽電池は、新しいエネルギー源として期待されている。
【０００３】
一般的に、太陽電池１枚当りの出力は数Ｗ程度である。従って、家屋やビル等の電源として太陽電池を用いる場合には、配線材によって互いに接続された複数の太陽電池を備える太陽電池モジュールが用いられる。
【０００４】
ここで、太陽電池の受光面積の拡大を目的として、太陽電池の裏面側に配線材を配置する手法が提案されている（非特許文献１、２参照）。
【０００５】
非特許文献１に記載の太陽電池は、受光面側半導体層が複数のスルーホールを介して裏面側まで形成された構造（いわゆる「エミッタラップスルー構造」）を有する。太陽電池の裏面上には、複数のスルーホールに接続された受光面側接続用電極と、受光面側接続用電極と電気的に分離された裏面側収集電極とが形成される。配線材の一端部は、一の太陽電池の一端部において受光面側接続用電極に接続される。配線材の他端部は、一の太陽電池に隣接する他の太陽電池の一端部において裏面側接続用電極に接続される。
【０００６】
非特許文献２に記載の太陽電池は、スルーホール内部に形成されたスルーホール電極が受光面上に形成された受光面側接続用電極に接続された構造（いわゆる「メタルラップスルー構造」）を有する。配線材は、スルーホール電極の直上でスル-ホール電極に接続される。
【非特許文献１】Ａ．Ｓｃｈｏｅｎｅｃｋｅｒ，「Ａn  ｉｎｄｕｓｔｒｉａｌ  ｍｕｌｔｉ−ｃｒｙｓｔａｌｌｉｎｅ  ｅｗｔ  ｓｏｌａｒ  ｃｅｌｌ  ｗｉｔｈ  ｓｃｒｅｅｎ  ｐｒｉｎｔｅｄ  ｍｅｔａｌｌｉｚａｔｉｏｎ」，第１４回ヨーロッパ光起電太陽エネルギー会議，バルセロナ，１９９７年，７９６〜７９９頁
【非特許文献２】Ｐ．Ｃ．ｄｅ  ｊｏｎｇ，「Ｓｉｎｇｌｅ−ｓｔｅｐ  ｌａｍｉｎａｔｅｄ  ｆｕｌｌ−ｓｉｚｅ  ＰＶ  ｍｏｄｕｌｅｓ  ｍａｄｅ  ｗｉｔｈ  ｂａｃｋ−ｃｏｎｔａｃｔｅｄ  ｍｃ−Ｓｉ  ｃｅｌｌｓ  ａｎｄ  ｃｏｎｄｕｃｔｉｖｅａｄｈｅｓｉｖｅｓ」，第１９回ヨーロッパ光起電太陽エネルギー会議，パリ，２００４年
【発明の開示】
【発明が解決しようとする課題】
【０００７】
しかしながら、上述のエミッタラップスルー構造の太陽電池では、配線材とスルーホール電極とが離間しているため、太陽電池の集電効率が低下するという問題があった。具体的には、配線材よりも電気抵抗率の高い収集電極内を光起電流が流れる距離が長いため、光起電流の抵抗損失が増加してしまう。
【０００８】
また、上述のメタルラップスルー構造の太陽電池では、スルーホール電極の直上で配線材が接続されるため、スルーホール内部で短絡が発生するという問題があった。具体的には、スルーホール電極に発生する熱応力の影響を受けて、スルーホール電極と太陽電池基板との間で短絡が発生してしまう。
【０００９】
本発明は、上記の問題に鑑みてなされたものであり、集電効率を向上するとともに、短絡の発生を抑制可能な太陽電池を備える太陽電池モジュール及びその太陽電池を提供することを目的とする。
【課題を解決するための手段】
【００１０】
本発明の特徴に係る太陽電池モジュールは、配線材によって電気的に接続された第１太陽電池と第２太陽電池とを備える太陽電池モジュールであって、第１太陽電池は、受光面と受光面の反対側に設けられる裏面とを有する光電変換部と、受光面から裏面まで光電変換部を貫通するスルーホール電極と、裏面上に形成され、スルーホール電極と電気的に接続される受光面側接続用電極とを有し、受光面側接続用電極は、配線材が接続される配線材接続部を含んでおり、配線材接続部は、スルーホール電極に隣接することを要旨とする。
【００１１】
本発明の特徴に係る太陽電池モジュールによれば、スルーホール電極と配線材接続部とが隣接している。従って、スルーホール電極と配線材との間における光起電流の抵抗損失を低減することができる。また、配線材接続部は、スルーホール電極から離間している。従って、配線材を受光面側接続用電極に接続する際にスルーホール電極に発生する熱応力を小さくすることができる。その結果、スルーホール電極と光電変換部との間で短絡が発生することを抑制することができる。
【００１２】
本発明の特徴において、第１太陽電池は、受光面から裏面まで光電変換部を貫通する他のスルーホール電極と、裏面上に形成され、他のスルーホール電極と電気的に接続される他の受光面側接続用電極とをさらに有し、受光面側接続用電極は、配線材が接続される他の配線材接続部を含んでおり、他の配線材接続部と他のスルーホール電極との間隔は、配線材接続部とスルーホール電極との間隔に略等しくてもよい。
【００１３】
本発明の特徴に係る太陽電池モジュールは、配線材によって電気的に接続された第１太陽電池と第２太陽電池とを備える太陽電池モジュールであって、第１太陽電池は、受光面と受光面の反対側に設けられる裏面とを有する光電変換部と、受光面から裏面まで光電変換部をそれぞれ貫通する複数のスルーホール電極を含むスルーホール電極群と、裏面上に形成され、スルーホール電極群に含まれる少なくとも一のスルーホール電極と電気的に接続される受光面側接続用電極とを有し、受光面側接続用電極は、配線材が接続される配線材接続部を含んでおり、配線材接続部は、一のスルーホール電極から離間することを要旨とする。
【００１４】
本発明の特徴に係る太陽電池は、配線材が電気的に接続される太陽電池であって、受光面と受光面の反対側に設けられる裏面とを有する光電変換部と、受光面から裏面まで光電変換部を貫通するスルーホール電極と、裏面上に形成され、スルーホール電極と電気的に接続される受光面側接続用電極とを有し、受光面側接続用電極は、配線材が接続される配線材接続部を含んでおり、配線材接続部は、スルーホール電極に隣接することを要旨とする。
【発明の効果】
【００１５】
本発明によれば、集電効率を向上するとともに、短絡の発生を抑制可能な太陽電池を備える太陽電池モジュール及びその太陽電池を提供することができる。
【発明を実施するための最良の形態】
【００１６】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１７】
［第１実施形態］
〈太陽電池モジュールの概略構成〉
以下において、本発明の第１実施形態に係る太陽電池モジュールの構成について、図１を参照しながら説明する。図１は、本発明の第１実施形態に係る太陽電池モジュール１００の側面図である。
【００１８】
図１に示すように、太陽電池モジュール１００は、太陽電池ストリング１と、受光面側保護材２と、裏面側保護材３と、封止材４とを備える。
【００１９】
太陽電池ストリング１は、複数の太陽電池１０と、複数の配線材２０とを備える。複数の太陽電池１０は、第１方向に沿って配列される。複数の太陽電池１０は、複数の配線材２０によって互いに電気的に接続される。各太陽電池１０は、太陽光を受ける受光面と、受光面の反対側に設けられる裏面とを有する。各配線材２０は、一の太陽電池１０の裏面と、一の太陽電池１０に隣接する他の太陽電池１０の裏面とに接続される。太陽電池１０及び太陽電池ストリング１の構成については後述する。
【００２０】
受光面側保護材２は、太陽電池モジュール１００の受光面側を保護する。受光面側保護材２としては、ガラスなどの透光性材料を用いることができる。
【００２１】
裏面側保護材３は、太陽電池モジュール１００の裏面側を保護する。裏面側保護材３としては、ＰＥＴ（Polyethylene Terephthalate）等の樹脂フィルム、Ａｌ箔を樹脂フィルムでサンドイッチした構造を有する積層フィルムなどを用いることができる。
【００２２】
封止材４は、太陽電池ストリング１を、受光面側保護材２と裏面側保護材３との間で封止する。封止材４としては、ＥＶＡ、ＥＥＡなどの樹脂材料を用いることができる。
【００２３】
〈太陽電池の構成〉
次に、図面を参照して、太陽電池１０の構成について説明する。図２は、太陽電池１０を受光面側から見た平面図である。図３は、太陽電池１０を裏面側から見た平面図である。図４は、図２のＡ−Ａ線における断面図である。
【００２４】
図２に示すように、太陽電池１０は、光電変換部１１と、複数本の受光面側細線電極１２と、複数のスルーホール電極１３とを備える。
【００２５】
光電変換部１１は、受光面と、受光面の反対側に設けられる裏面とを有する。光電変換部１１は、受光により光生成キャリア（正孔及び電子）を生成する。光電変換部１１の内部には、ｐｎ接合或いはｐｉｎ接合などの半導体接合が形成されている。光電変換部１１は、単結晶Ｓｉ、多結晶Ｓｉ等の結晶系半導体材料、ＧａＡｓ、ＩｎＰ等の化合物半導体材料等の一般的な半導体材料などを用いて形成することができる。なお、光電変換部１１は、単結晶シリコン基板と非晶質シリコン層との間に実質的に真性な非晶質シリコン層が挟まれた、いわゆるＨＩＴ構造を有していてもよい。
【００２６】
複数本の受光面側細線電極１２は、光電変換部１１において生成された光生成キャリアを収集する収集電極である。各受光面側細線電極１２は、図２に示すように、光電変換部１１の受光面上において、第１方向と略直交する第２方向に沿って形成される。各受光面側細線電極１２は、焼結型の導電性ペーストや熱硬化型の導電性ペーストなどによって構成される。
【００２７】
複数のスルーホール電極１３は、光電変換部１１の受光面から裏面まで貫通する。各スルーホール電極１３は、光電変換部１１の受光面上において、１０本の受光面側細線電極１２に接続される。各スルーホール電極１３は、５本の受光面側細線電極１２から集電される光生成キャリアを、光電変換部１１の裏面側に導く。
【００２８】
ここで、第１方向に沿ってノード状に形成された７つのスルーホール電極１３は、スルーホール電極群１３Ｇを構成する。本実施形態では、図２に示すように、太陽電池１０は、２つのスルーホール電極群１３Ｇを備える。各スルーホール電極１３は、受光面側細線電極１２と同様の導電性ペーストによって構成される。なお、各スルーホール電極１３は、図４に示すように、光電変換部１１を貫通するスルーホールＴＨ内に形成される。
【００２９】
また、図３に示すように、太陽電池１０は、２本の受光面側接続用電極１４と、複数本の裏面側細線電極１５と、３本の裏面側接続用電極１６と、絶縁層１７とを備える。
【００３０】
２本の受光面側接続用電極１４は、配線材２０の一端部を接続するための電極である。各受光面側接続用電極１４は、図３に示すように、配線材接続部１４ａと、７つのスルーホール電極接続部１４ｂとを含む。配線材接続部１４ａは、第１方向に沿って形成される。配線材接続部１４ａは、配線材２０に接続される。７つのスルーホール電極接続部１４ｂは、配線材接続部１４ａから太陽電池１０の外側に向かって突出する。各スルーホール電極接続部１４ｂは、スルーホール電極１３に接続される。
【００３１】
ここで、配線材接続部１４ａは、スルーホール電極群１３Ｇから離間している。換言すれば、配線材接続部１４ａと各スルーホール電極１３とは、所定の間隔で隣接している。従って、配線材接続部１４ａと一のスルーホール電極１３との間隔は、配線材接続部１４ａと他のスルーホール電極１３との間隔に略等しい。
【００３２】
なお、各受光面側接続用電極１４は、受光面側細線電極１２と同様の導電性ペーストによって形成することができる。また、図３及び図４に示すように、各受光面側接続用電極１４は、絶縁層１７によって、光電変換部１１の裏面、各裏面側細線電極１５及び各裏面側接続用電極１６から電気的に分離されている。
【００３３】
複数本の裏面側細線電極１５は、光電変換部１１において生成された光生成キャリアを収集する収集電極である。各裏面側細線電極１５は、図３に示すように、光電変換部１１の裏面上において、第２方向に沿って形成される。各受光面側細線電極１２は、受光面側細線電極１２と同様の導電性ペーストによって構成される。
【００３４】
３本の裏面側接続用電極１６は、配線材２０の他端部を接続するための電極である。各裏面側接続用電極１６は、光電変換部１１の裏面上において、第１方向に沿って形成される。各裏面側接続用電極１６は、複数本の裏面側細線電極１５から電気的に接続される。各裏面側接続用電極１６は、受光面側細線電極１２と同様の導電性ペーストによって構成される。
【００３５】
絶縁層１７は、図４に示すように、スルーホールＴＨの内壁から光電変換部１１の裏面上に跨って形成される。絶縁層１７は、各受光面側接続用電極１４を、光電変換部１１の裏面、各裏面側細線電極１５及び各裏面側接続用電極１６から電気的に分離している。絶縁層１７は、ＳｉＯ、ＳｉＮ、ポリイミドなどの絶縁性材料によって構成される。
【００３６】
〈太陽電池ストリングの構成〉
次に、図面を参照して、太陽電池ストリング１の構成について説明する。図５は、太陽電池ストリング１を裏面側から見た平面図である。
【００３７】
図５に示すように、配線材２０は、一の太陽電池１０と、一の太陽電池１０に隣接する他の太陽電池１０とを電気的に接続する。具体的には、配線材２０の一端部は、一の太陽電池１０の２本の受光面側接続用電極１４（配線材接続部１４ａ）に電気的に接続される。また、配線材２０の他端部は、他の太陽電池１０の３本の裏面側接続用電極１６に電気的に接続される。配線材２０は、半田や樹脂接着剤などによって各接続用電極に接続される。配線材２０は、薄板状または縒り線状の銅、銀、金、錫、ニッケル、アルミニウム、或いはこれらの合金に鉛フリー半田メッキや錫メッキを施すことによって形成される。
【００３８】
〈太陽電池モジュールの製造方法〉
以下において、本発明の第１実施形態に係る太陽電池モジュール１００の製造方法について、図面を参照しながら説明する。
【００３９】
まず、レーザ加工、又は、ドリルやサンドブラスト等を用いた機械的加工法やエッチング法などによって、光電変換部１１に１４個のスルーホールＴＨを形成する。
【００４０】
次に、図６に示すように、ＣＶＤ法によって、各スルーホールＴＨの内壁から光電変換部１１の裏面上に所定のパターンで絶縁層１７を形成する。
【００４１】
次に、印刷法によって、光電変換部１１の受光面上に所定のパターンで導電性ペーストを塗布する（図２参照）。続いて、各スルーホールＴＨ内に導電性ペーストを充填するとともに、光電変換部１１の裏面上に所定のパターンで導電性ペーストを塗布する（図３参照）。これによって、受光面側細線電極１２、スルーホール電極１３、受光面側接続用電極１４、裏面側細線電極１５及び裏面側接続用電極１６が形成される。
【００４２】
次に、一の太陽電池１０の受光面側接続用電極１４（配線材接続部１４ａ）上に導電性接着剤を介して配線材２０の一端部を配置するとともに、他の太陽電池１０裏面側細線電極１５上に導電性接着剤を介して配線材２０の他端部を配置する。続いて、導電性接着剤を加熱硬化させることによって、一の太陽電池１０と他の太陽電池１０とを配線材２０によって電気的に接続する。
【００４３】
以上により、太陽電池ストリング１が形成される。
【００４４】
次に、受光面側保護材２上に、封止材４、太陽電池ストリング１、封止材４及び裏面側保護材３を順次積層する。続いて、封止材４を加熱硬化させることによって、太陽電池モジュール１００が形成される。
【００４５】
〈作用及び効果〉
第１実施形態に係る太陽電池１０において、受光面側接続用電極１４は、配線材２０が接続される配線材接続部１４ａを含む。配線材接続部１４ａは、スルーホール電極１３に隣接する。
【００４６】
このように、スルーホール電極１３と配線材接続部１４ａとは隣接する。従って、スルーホール電極１３と配線材２０との間における光起電流の抵抗損失を低減することができる。
【００４７】
また、配線材接続部１４ａは、スルーホール電極１３から離間している。従って、配線材２０を受光面側接続用電極１４に接続する際にスルーホール電極１３に発生する熱応力を小さくすることができる。そのため、絶縁層１７などが損傷を受けて、スルーホール電極１３と光電変換部１１との間で短絡が発生することを抑制することができる。
【００４８】
［第２実施形態］
以下において、本発明の第２実施形態に係る太陽電池の構成について、図面を参照しながら説明する。なお、以下においては、上述した第１実施形態との相違点について主に説明する。
【００４９】
〈太陽電池の構成〉
図７は、第２実施形態に係る太陽電池１０ａの裏面側から見た平面図である。図７に示すように、本実施形態に係る太陽電池１０ａは、複数の受光面側接続用電極１４を備える。
【００５０】
各受光面側接続用電極１４は、第２方向に沿って形成された一対の配線材接続部１４ａ及びスルーホール電極接続部１４ｂによって構成される。本実施形態では、７つの各受光面側接続用電極１４が第１方向に沿ってノード状に形成される。各配線材接続部１４ａは、配線材２０に接続される。従って、配線材２０は、各配線材接続部１４ａそれぞれに部分的に固定されており、各配線材接続部１４ａ間では固定されていない。各スルーホール電極接続部１４ｂは、スルーホール電極１３に接続される。
【００５１】
ここで、各配線材接続部１４ａは、各スルーホール電極１３から離間している。換言すれば、各配線材接続部１４ａと各スルーホール電極１３とは、所定の間隔で隣接している。すなわち、一の配線材接続部１４ａと一のスルーホール電極１３との間隔は、他の配線材接続部１４ａと他のスルーホール電極１３との間隔に略等しい。
【００５２】
また、太陽電池１０ａは、図７に示すように、配線材用絶縁層２１を備える。配線材用絶縁層２１は、太陽電池１０ａの裏面のうち配線材２０が配置される領域に形成される。配線材２０は、配線材用絶縁層２１によって、光電変換部１１の裏面及び裏面側細線電極１５から電気的に分離される。
【００５３】
なお、図７に示すように、裏面側細線電極１５は、各配線材接続部１４ａ間にも形成される。
【００５４】
〈太陽電池ストリングの構成〉
次に、本実施形態に係る太陽電池ストリングの構成について、図８を参照しながら説明する。図８は、本実施形態に係る太陽電池ストリング１ａを裏面側から見た平面図である。
【００５５】
図８に示すように、配線材２０の一端部は、一の太陽電池１０ａの７つの受光面側接続用電極１４（配線材接続部１４ａ）に電気的に接続される。また、配線材２０の他端部は、他の太陽電池１０ａの３本の裏面側接続用電極１６に電気的に接続される。配線材２０の一端部は、一の太陽電池１０ａの配線材用絶縁層２１上に配置される。
【００５６】
〈太陽電池モジュールの製造方法〉
以下において、本発明の第２実施形態に係る太陽電池モジュール１００の製造方法について、図面を参照しながら説明する。
【００５７】
まず、レーザ加工、又は、ドリルやサンドブラスト等を用いた機械的加工法によって、光電変換部１１に１４個のスルーホールＴＨを形成する。
【００５８】
次に、図９に示すように、ＣＶＤ法によって、各スルーホールＴＨの内壁から光電変換部１１の裏面上に所定のパターンで絶縁層１７を形成する。
【００５９】
次に、印刷法によって、光電変換部１１の受光面上に所定のパターンで導電性ペーストを塗布する（図２参照）。続いて、図１０に示すように、各スルーホールＴＨ内に導電性ペーストを充填するとともに、光電変換部１１の裏面上に所定のパターンで導電性ペーストを塗布する。これによって、受光面側細線電極１２、スルーホール電極１３、受光面側接続用電極１４、裏面側細線電極１５及び裏面側接続用電極１６が形成される。
【００６０】
次に、ＣＶＤ法によって、光電変換部１１の裏面上に所定のパターンで配線材用絶縁層２１を形成する（図７参照）。
【００６１】
次に、一の太陽電池１０ａの各受光面側接続用電極１４（配線材接続部１４ａ）上に導電性接着剤を介して配線材２０の一端部を配置するとともに、他の太陽電池１０ａの裏面側細線電極１５上に導電性接着剤を介して配線材２０の他端部を配置する。続いて、配線材２０を部分的に加熱することによって、各導電性接着剤を加熱硬化させる。
【００６２】
以上により、太陽電池ストリング１が形成される。
【００６３】
次に、受光面側保護材２上に、封止材４、太陽電池ストリング１、封止材４及び裏面側保護材３を順次積層する。続いて、封止材４を加熱硬化させることによって、太陽電池モジュール１００が形成される。
【００６４】
〈作用及び効果〉
第２実施形態に係る太陽電池１０ａは、複数の受光面側接続用電極１４を備える。各受光面側接続用電極１４は、一対の配線材接続部１４ａ及びスルーホール電極接続部１４ｂによって構成される。配線材２０は、各配線材接続部１４ａそれぞれに部分的に固定される。
【００６５】
従って、配線材２０は、部分的に加熱されることによって、各配線材接続部１４ａに接続される。従って、配線材２０を全体的に加熱する場合に比べて、配線材２０に発生する熱応力を小さくすることができる。
【００６６】
また、配線材２０は、各配線材接続部１４ａ間において固定されていない。そのため、配線材２０に発生する熱応力を、各配線材接続部１４ａに固定されていない部分で吸収することができる。従って、配線材２０に発生する熱応力が太陽電池１０ａに与える影響を軽減することができる。
【００６７】
［第３実施形態］
以下において、本発明の第３実施形態に係る太陽電池の構成について、図面を参照しながら説明する。なお、以下においては、上述した第２実施形態との相違点について主に説明する。
【００６８】
〈太陽電池の構成〉
図１１は、第３実施形態に係る太陽電池１０ｂの裏面側から見た平面図である。図１１に示すように、本実施形態に係る太陽電池１０ｂは、複数の受光面側接続用電極１４を備える。
【００６９】
各受光面側接続用電極１４は、第１方向に沿って形成された一対の配線材接続部１４ａ及びスルーホール電極接続部１４ｂによって構成される。本実施形態では、７つの受光面側接続用電極１４が第１方向に沿ってノード状に形成される。各配線材接続部１４ａは、配線材２０に接続される。従って、配線材２０は、各配線材接続部１４ａそれぞれに部分的に固定される一方、各配線材接続部１４ａ間では固定されていない。各スルーホール電極接続部１４ｂは、スルーホール電極１３に接続される。
【００７０】
配線材用絶縁層２１は、７つの受光面側接続用電極１４を取り囲むように、第１方向に沿って形成される。
【００７１】
配線材２０の一端部は、配線材用絶縁層２１に沿って配置される。配線材２０は、配線材用絶縁層２１によって、光電変換部１１の裏面及び裏面側細線電極１５から電気的に分離される。配線材２０の一端部は、各配線材接続部１４ａそれぞれに部分的に固定される。
【００７２】
〈作用及び効果〉
第３実施形態に係る太陽電池１０ｂでは、各受光面側接続用電極１４は、第１方向に沿って順に並ぶ配線材接続部１４ａとスルーホール電極接続部１４ｂとを備える。従って、各スルーホール電極接続部１４ｂは、配線材２０の下に配置される。その結果、裏面側細線電極１５が形成される領域、裏面における受光領域を拡大することができる。
【００７３】
［第４実施形態］
以下において、本発明の第４実施形態に係る太陽電池の構成について、図面を参照しながら説明する。なお、以下においては、上述した第２実施形態との相違点について主に説明する。
【００７４】
〈太陽電池の構成〉
図１２は、第４実施形態に係る太陽電池１０ｃの裏面側から見た平面図である。図１２に示すように、本実施形態に係る太陽電池１０ｃは、複数の受光面側接続用電極１４を備える。
【００７５】
各受光面側接続用電極１４は、第１方向に沿って順に形成された第１配線材接続部１４ａ１、スルーホール電極接続部１４ｂ及び第２配線材接続部１４ａ２によって構成される。本実施形態では、７つの受光面側接続用電極１４が第１方向に沿ってノード状に形成される。各第１配線材接続部１４ａ１及び各第２配線材接続部１４ａ２は、配線材２０に接続される。従って、配線材２０は、各第１配線材接続部１４ａ１及び各第２配線材接続部１４ａ２それぞれに部分的に固定される。
【００７６】
配線材用絶縁層２１は、７つの受光面側接続用電極１４を取り囲むように、第１方向に沿って形成される。
【００７７】
配線材２０の一端部は、配線材用絶縁層２１に沿って配置される。配線材２０は、配線材用絶縁層２１によって、光電変換部１１の裏面及び裏面側細線電極１５から電気的に分離される。
【００７８】
〈作用及び効果〉
第４実施形態に係る太陽電池１０ｃでは、受光面側接続用電極１４は、第１方向に沿って順に形成された第１配線材接続部１４ａ１、スルーホール電極接続部１４ｂ及び第２配線材接続部１４ａ２によって構成される。従って、スルーホール電極１３から受光面側接続用電極１４の端部までの距離を小さくすることができる。そのため、受光面側接続用電極１４内部における光起電流の抵抗損失をさらに低減することができる。
【００７９】
［第５実施形態］
以下において、本発明の第５実施形態に係る太陽電池の構成について、図面を参照しながら説明する。なお、以下においては、上述した第２実施形態との相違点について主に説明する。
【００８０】
〈太陽電池の構成〉
図１３は、第５実施形態に係る太陽電池１０ｄの裏面側から見た平面図である。図１３に示すように、本実施形態に係る太陽電池１０ｄは、複数の受光面側接続用電極１４を備える。
【００８１】
各受光面側接続用電極１４は、第１方向に沿って順に形成された第１スルーホール電極接続部１４ｂ１、配線材接続部１４ａ及び第２スルーホール電極接続部１４ｂ２によって構成される。本実施形態では、４つの受光面側接続用電極１４が第１方向に沿ってノード状に形成される。各配線材接続部１４ａは、配線材２０に接続される。従って、配線材２０は、各配線材接続部１４ａそれぞれに部分的に固定される。第１スルーホール電極接続部１４ｂ１及び第２スルーホール電極接続部１４ｂ２それぞれは、スルーホール電極１３に接続される。すなわち、各配線材接続部１４ａは、２つのスルーホール電極１３に電気的に接続される。
【００８２】
配線材用絶縁層２１は、４つの受光面側接続用電極１４を取り囲むように、第１方向に沿って形成される。
【００８３】
配線材２０の一端部は、配線材用絶縁層２１に沿って配置される。配線材２０は、配線材用絶縁層２１によって、光電変換部１１の裏面及び裏面側細線電極１５から電気的に分離される。
【００８４】
〈作用及び効果〉
第５実施形態に係る太陽電池１０ｄでは、各配線材接続部１４ａは、２つのスルーホール電極１３に電気的に接続される。従って、配線材接続部１４ａの数を少なくすることができる。従って、配線材２０を各配線材接続部１４ａに接続する工程での作業量を少なくすることができる。
【００８５】
［第６実施形態］
以下において、本発明の第６実施形態に係る太陽電池の構成について、図面を参照しながら説明する。なお、以下においては、上述した第２実施形態との相違点について主に説明する。
【００８６】
〈太陽電池の構成〉
図１４は、第６実施形態に係る太陽電池１０ｅの裏面側から見た平面図である。図１４に示すように、本実施形態に係る太陽電池１０ｅは、複数の受光面側接続用電極１４を備える。
【００８７】
各受光面側接続用電極１４は、第２方向に沿って順に形成された第１配線材接続部１４ａ１、スルーホール電極接続部１４ｂ及び第２配線材接続部１４ａ２によって構成される。本実施形態では、７つの受光面側接続用電極１４が第１方向に沿ってノード状に形成される。各第１配線材接続部１４ａ１は、配線材２０に接続される。従って、配線材２０は、各第１配線材接続部１４ａ１それぞれに部分的に固定されており、各第１配線材接続部１４ａ１間では固定されない。同様に、配線材２０は、各第２配線材接続部１４ａ２それぞれに部分的に固定されており、各第２配線材接続部１４ａ２間では固定されない。
【００８８】
各配線材用絶縁層２１は、各第１配線材接続部１４ａ１及び各第２配線材接続部１４ａ２それぞれを取り囲むように、第１方向に沿って形成される。
【００８９】
配線材２０の一端部は、配線材用絶縁層２１に沿って配置される。配線材２０は、配線材用絶縁層２１によって、光電変換部１１の裏面及び裏面側細線電極１５から電気的に分離される。
【００９０】
〈作用及び効果〉
第６実施形態に係る太陽電池１０ｅでは、受光面側接続用電極１４は、第２方向に沿って順に形成された第１配線材接続部１４ａ１、スルーホール電極接続部１４ｂ及び第２配線材接続部１４ａ２によって構成される。従って、配線材２０は各第１配線材接続部１４ａ１に接続されていればよいため、配線材２０の線幅を小さくすることができる。その結果、配線材２０に発生する熱応力を、配線材２０のうち各第１配線材接続部１４ａ１に固定されない部分で吸収しやすくなる。
【００９１】
［第７実施形態］
以下において、本発明の第７実施形態に係る太陽電池の構成について、図面を参照しながら説明する。なお、以下においては、上述した第２実施形態との相違点について主に説明する。
【００９２】
〈太陽電池の構成〉
図１５は、第７実施形態に係る太陽電池１０ｆの裏面側から見た平面図である。図１５に示すように、本実施形態に係る太陽電池１０ｆは、複数の受光面側接続用電極１４を備える。
【００９３】
各受光面側接続用電極１４は、第１方向に沿って分割された一組の第１配線材接続部１４ａ１及び第２配線材接続部１４ａ２と、配線材接続部１４ａから太陽電池１０ｆの内側に突出されたスルーホール電極接続部１４ｂとによって構成される。
【００９４】
本実施形態では、７つの受光面側接続用電極１４が第１方向に沿ってノード状に形成される。各第１配線材接続部１４ａ１及び各第２配線材接続部１４ａ２は、配線材２０に接続される。配線材２０は、各第１配線材接続部１４ａ１及び各第２配線材接続部１４ａ２それぞれに部分的に固定される。
【００９５】
配線材用絶縁層２１は、各第１配線材接続部１４ａ１及び各第２配線材接続部１４ａ２を取り囲むように、第１方向に沿って形成される。
【００９６】
配線材２０の一端部は、配線材用絶縁層２１に沿って配置される。配線材２０は、配線材用絶縁層２１によって、光電変換部１１の裏面及び裏面側細線電極１５から電気的に分離される。
【００９７】
〈作用及び効果〉
第７実施形態に係る太陽電池１０ｆでは、受光面側接続用電極１４は、第１方向に沿って分割された一組の第１配線材接続部１４ａ１及び第２配線材接続部１４ａ２とを含む。そのため、配線材２０は、多数の接続箇所で受光面側接続用電極１４に接続される。従って、配線材２０と受光面側接続用電極１４との接続面積を維持しつつ、各接続箇所の面積を小さくすることができる。その結果、配線材２０に発生する熱応力を小さな面積に分散させることができる。
【００９８】
〈その他の実施形態〉
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００９９】
例えば、上述した実施形態では、配線材接続部１４ａとスルーホール電極接続部１４ｂとは並んで形成されることとしたが、これに限られるものではない。配線材接続部１４ａは、スルーホール電極接続部１４ｂを取り囲むように形成されていてもよい。
【０１００】
また、上述した実施形態では、受光面側細線電極１２及び裏面側細線電極１５は第２方向に沿って形成されるとともに、受光面側接続用電極１４及び裏面側接続用電極１６は第１方向に沿って形成されることとしたが、これに限られるものではない。各電極が形成される方向は適宜設定することができる。
【０１０１】
また、上述した第２乃至第７実施形態では、配線材用絶縁層２１は、光電変換部１１の裏面上に形成されることとしたが、配線材用絶縁層２１は、配線材２０の表面に形成されてもよい。
【図面の簡単な説明】
【０１０２】
【図１】本発明の第１実施形態に係る太陽電池モジュール１００の側面図である。
【図２】本発明の第１実施形態に係る太陽電池１０を受光面側から見た平面図である。
【図３】本発明の第１実施形態に係る太陽電池１０を裏面側から見た平面図である。
【図４】図２のＡ−Ａ線における断面図である。
【図５】本発明の第１実施形態に係る太陽電池ストリング１を裏面側から見た平面図である。
【図６】本発明の第１実施形態に係る太陽電池モジュール１００の製造方法を説明するための図である。
【図７】本発明の第２実施形態に係る太陽電池１０ａの裏面側から見た平面図である。
【図８】本発明の第２実施形態に係る太陽電池ストリング１ａを裏面側から見た平面図である。
【図９】本発明の第２実施形態に係る太陽電池モジュール１００の製造方法を説明するための図である。
【図１０】本発明の第２実施形態に係る太陽電池モジュール１００の製造方法を説明するための図である。
【図１１】本発明の第３実施形態に係る太陽電池１０ｂの裏面側から見た平面図である。
【図１２】本発明の第４実施形態に係る太陽電池１０ｃの裏面側から見た平面図である。
【図１３】本発明の第５実施形態に係る太陽電池１０ｄの裏面側から見た平面図である。
【図１４】本発明の第６実施形態に係る太陽電池１０ｅの裏面側から見た平面図である。
【図１５】本発明の第７実施形態に係る太陽電池１０ｆの裏面側から見た平面図である。
【符号の説明】
【０１０３】
１…太陽電池ストリング
２…受光面側保護材
３…裏面側保護材
４…封止材
１０…太陽電池
１１…光電変換部
１２…受光面側細線電極
１３…スルーホール電極
１３Ｇ…スルーホール電極群
１４…受光面側接続用電極
１４ａ…配線材接続部
１４ｂ…スルーホール電極接続部
１５…裏面側細線電極
１６…裏面側接続用電極
１７…絶縁層
２０…配線材
２１…配線材用絶縁層
１００…太陽電池モジュール
ＴＨ…スルーホール
【図１】
2010050350.tif 000003
【図２】
2010050350.tif 000004
【図３】
2010050350.tif 000005
【図４】
2010050350.tif 000006
【図５】
2010050350.tif 000007
【図６】
2010050350.tif 000008
【図７】
2010050350.tif 000009
【図８】
2010050350.tif 000010
【図９】
2010050350.tif 000011
【図１０】
2010050350.tif 000012
【図１１】
2010050350.tif 000013
【図１２】
2010050350.tif 000014
【図１３】
2010050350.tif 000015
【図１４】
2010050350.tif 000016
【図１５】
2010050350.tif 000017